(57)【要約】【課題】熟練を要さず、簡単な作業で且つ短時間で圧縮接続ができる多心ケーブルの圧縮接続部を提供する。【解決手段】複数のコア３，４を有する多心ケーブル１が圧縮接続される多心ケーブル１の圧縮接続部２において、圧縮スリーブ５の複数のコア挿入孔６，７の開口端面８と多心ケーブル１の複数のコア３，４の切断先端面９とを互いに相違するように形成し、多心ケーブル１の複数のコア３，４が圧縮スリーブ５の複数のコア挿入孔６，７へと順を追って挿入されるようにした。【選択図】　　　　図１
2004048931.tif 000002
【特許請求の範囲】
【請求項１】
複数のコアを有する多心ケーブルが圧縮接続される多心ケーブルの圧縮接続部において、圧縮スリーブの複数のコア挿入孔の開口端面と多心ケーブルの複数のコアの切断先端面とを互いに相違するように形成し、上記多心ケーブルの複数のコアが上記圧縮スリーブの複数のコア挿入孔へと順を追って挿入されるようにしたことを特徴とする多心ケーブルの圧縮接続部。
【請求項２】
中心コアと外周コアとを有する多心ケーブルが圧縮接続される多心ケーブルの圧縮接続部において、圧縮スリーブの中心コア挿入孔を外周コア挿入孔よりも深く形成し、多心ケーブルの中心コアの先端を外周コアの先端よりも突出させて切断し、上記中心コアが中心コア挿入孔に挿入された後に上記外周コアが外周コア挿入孔に挿入されるようにしたことを特徴とする多心ケーブルの圧縮接続部。
【請求項３】
中心コアと外周コアとを有する多心ケーブルが圧縮接続される多心ケーブルの圧縮接続部において、圧縮スリーブの中心コア挿入孔の開口端を外周コア挿入孔の開口端よりも突出させて形成し、多心ケーブルの中心コアが上記中心コア挿入孔に挿入された後に外周コアが上記外周コア挿入孔に挿入されるようにしたことを特徴とする多心ケーブルの圧縮接続部。
【請求項４】
上記中心コア挿入孔が上記圧縮スリーブに対して着脱自在のアダプタスリーブに形成され、上記外周コア挿入孔が上記圧縮スリーブのアダプタスリーブ挿入孔の周囲に形成された請求項３記載の多心ケーブルの圧縮接続部。
【請求項５】
複数のコアを有する多心ケーブルが圧縮接続される多心ケーブルの圧縮接続部において、圧縮スリーブの中心コア挿入孔及び外周コア挿入孔の開口端面を傾斜させて形成し、上記多心ケーブルの複数のコアが上記圧縮スリーブの複数のコア挿入孔へと順を追って挿入されるようにしたことを特徴とする多心ケーブルの圧縮接続部。
【発明の詳細な説明】
【０００１】
【発明の属する技術分野】
本発明は、複数のコアを有する多心ケーブルが圧縮接続される多心ケーブルの圧縮接続部に関するものである。
【０００２】
【従来の技術】
複数のコアを有する多心ケーブルが圧縮接続される多心ケーブルの圧縮接続部は、従来、図６に示すようになっていた。
【０００３】
図６に示した圧縮接続部５１は、図７の断面図に示すような、３本の中心コア５２と９本の外周コア５３を有する多心ケーブル５４が圧縮接続されるものである。
【０００４】
この場合、多心ケーブル５４の各コア５２，５３のシースや絶縁体等の被覆層５５を剥がして、その先端の導体５６をバインド線５７等で極力丸く束ねて成形した後に、先端を切断し、圧縮スリーブ５８に形成された挿入孔５９に挿入して、圧縮して接続するようになっていた。
【０００５】
【発明が解決しようとする課題】
しかしながら、上述した従来の多心ケーブルの圧縮接続部５１では、以下のような問題があった。
【０００６】
圧縮スリーブ５８は、圧縮率を確保できるように、挿入孔５９が極力小さく形成されるため、導体５６を一括で丸く成形する際に、各導体５６間の隙間を小さくするのが困難で、その作業に熟練を要していた。
【０００７】
また、コア５２，５３を集約させるための癖取り、曲げ加工が必要であり多くの手間がかかる上に、シースや絶縁体の剥ぎ代も長くなり、圧縮スリーブ５８直下のケーブル加工部が大きくなってしまう。
【０００８】
そこで、図８に示すように、コア６１の曲げ加工を行わずに、直線的に圧縮スリーブ６２に形成された複数のコア挿入孔６３へコア６１をそれぞれ挿入することが考えられる。しかし、この場合、コア挿入孔６３の開口端面とコア６１の先端面とが平行になっており、導体６４の挿入を一括して行わなければならないが、コア６１の本数が多い場合では、この作業は非常に困難であり多くの時間がかかってしまう。
【０００９】
よって、本発明は上記問題を解決すべく案出されたものであり、その目的は、熟練を要さず、簡単な作業で且つ短時間で圧縮接続ができる多心ケーブルの圧縮接続部を提供することにある。
【００１０】
【課題を解決するための手段】
前記課題を解決すべく、請求項１の発明は、複数のコアを有する多心ケーブルが圧縮接続される多心ケーブルの圧縮接続部において、圧縮スリーブの複数のコア挿入孔の開口端面と多心ケーブルの複数のコアの切断先端面とを互いに相違するように形成し、上記多心ケーブルの複数のコアが上記圧縮スリーブの複数のコア挿入孔へと順を追って挿入されるようにした多心ケーブルの圧縮接続部である。
【００１１】
上記構成によれば、圧縮スリーブの複数のコア挿入孔の開口端面と多心ケーブルの複数のコアの切断先端面とが相違するように形成したことによって、多心ケーブルの複数のコアを圧縮スリーブの複数のコア挿入孔へと順を追って挿入することができるので、コアの挿入作業に熟練を要さず、簡単な作業で且つ短時間で圧縮接続ができる。
【００１２】
請求項２の発明は、中心コアと外周コアとを有する多心ケーブルが圧縮接続される多心ケーブルの圧縮接続部において、圧縮スリーブの中心コア挿入孔を外周コア挿入孔よりも深く形成し、多心ケーブルの中心コアの先端を外周コアの先端よりも突出させて切断し、上記中心コアが中心コア挿入孔に挿入された後に上記外周コアが外周コア挿入孔に挿入されるようにした多心ケーブルの圧縮接続部である。
【００１３】
請求項３の発明は、中心コアと外周コアとを有する多心ケーブルが圧縮接続される多心ケーブルの圧縮接続部において、圧縮スリーブの中心コア挿入孔の開口端を外周コア挿入孔の開口端よりも突出させて形成し、多心ケーブルの中心コアが上記中心コア挿入孔に挿入された後に外周コアが上記外周コア挿入孔に挿入されるようにした多心ケーブルの圧縮接続部である。
【００１４】
請求項４の発明は、上記中心コア挿入孔が上記圧縮スリーブに対して着脱自在のアダプタスリーブに形成され、上記外周コア挿入孔が上記圧縮スリーブのアダプタスリーブ挿入孔の周囲に形成された請求項３記載の多心ケーブルの圧縮接続部である。
【００１５】
請求項５の発明は、複数のコアを有する多心ケーブルが圧縮接続される多心ケーブルの圧縮接続部において、圧縮スリーブの中心コア挿入孔及び外周コア挿入孔の開口端面を傾斜させて形成し、上記多心ケーブルの複数のコアが上記圧縮スリーブの複数のコア挿入孔へと順を追って挿入されるようにした多心ケーブルの圧縮接続部である。
【００１６】
【発明の実施の形態】
以下、本発明の実施の形態を添付図面に従って説明する。
【００１７】
図１は本発明に係る多心ケーブルの圧縮接続部の好適な第一の実施の形態を示した側面図、図２は本発明に係る圧縮スリーブを示した断面図である。
【００１８】
図示するように、本実施の形態に係る多心ケーブル１の圧縮接続部２は、複数のコア３，４を有する多心ケーブル１を圧縮接続するためのものであって、圧縮スリーブ５の複数のコア挿入孔６，７の開口端面８と多心ケーブル１の複数のコア３，４の切断先端面９とが互いに相違するように形成されている。
【００１９】
具体的には、多心ケーブル１は、中心コア３と外周コア４とを有している。中心コア３は、多心ケーブル１の中心部に円周状に等ピッチで３本設けられ、外周コア４は中心コア３の周囲に円周状に等ピッチで９本設けられている。中心コア３及び外周コア４の先端部分は、絶縁体１２及びシース１１が共に剥がされ、導体１４が露出した状態となっている。また、中心コア３及び外周コア４は、共に直線状態のままである。
【００２０】
中心コア３の導体１４の先端は、外周コア４の導体１４の先端よりも突出する（段状となる）ようにその先方にて切断されている。
【００２１】
圧縮スリーブ５には、中心コア３が挿入される直線状の中心コア挿入孔６と、外周コア４が挿入される直線状の外周コア挿入孔７とが形成されている。中心コア挿入孔６は、中心コア３の延長線上の位置に形成され、外周コア挿入孔７は、外周コア４の延長線上の位置に形成されている。
【００２２】
中心コア挿入孔６は、外周コア挿入孔７よりも深く形成されている。その深さの差は、中心コア３の先端と外周コア４の先端との間隔と略等しい距離となっている。
【００２３】
なお、本実施の形態では、中心コア挿入孔６の開口端面８と外周コア挿入孔７の開口端面８とは同一平面上になっている。
【００２４】
次に、上記構成に係る多心ケーブル１の圧縮接続部２の作用を説明する。
【００２５】
かかる圧縮接続部２において、多心ケーブル１を圧縮スリーブ５に挿入するに際しては、中心コア３が突出していることにより、まず、中心コア３の導体１４が中心コア挿入孔６へと挿入された後に、外周コア４の導体１４が外周コア挿入孔７へと挿入される。このように、中心コア３の導体１４と外周コア４の導体１４とを段階的に挿入することができるので、従来のように、導体１４の挿入を一括して行う必要がなく、簡単な作業で且つ短時間で挿入できる。
【００２６】
また、内側となる突出した中心コア３から外側の外周コア４へと順次挿入していくので、中心コア３の挿入時には、外周コア４が邪魔になることがなく、作業が非常に行いやすい。そして、外周コア４の挿入時には、中心コア３が中心コア挿入孔６へと所定長さ挿入されているので、中心コア３が抜けることがなく、作業のやり直しをするといった余分な手間を省くことができる。
【００２７】
本発明によれば、従来のように導体をバインド線等で丸く束ねる必要がないので、中心コア３や外周コア４の癖取りや曲げ加工といった作業を省略することができ、また、導体１４間の隙間を小さくする必要もないので、熟練を要さず、何人でも作業を行うことができる。さらに、シース１１や絶縁体１２の剥ぎ代を小さくでき、圧縮スリーブ５直下のケーブル加工部１５をコンパクトにすることができる。
【００２８】
図３は本発明に係る多心ケーブルの圧縮接続部の好適な第二の実施の形態を示した側面図である。
【００２９】
本実施の形態に係る多心ケーブル１の圧縮接続部２は、圧縮スリーブ５の中心コア挿入孔６の開口端１６を外周コア挿入孔７の開口端１７よりも多心ケーブル１側へと突出させて形成し、多心ケーブル１の中心コア３が中心コア挿入孔６に挿入された後に外周コア４が外周コア挿入孔７に挿入されるようにしたことを特徴とする。
【００３０】
本実施の形態では、多心ケーブル１の中心コア３及び外周コア４は、同じ長さで切断されており、その切断先端面９は平面状になっている。
【００３１】
本実施の形態においても、圧縮スリーブ５の複数のコア挿入孔６，７の開口端面８と多心ケーブル１の複数のコア３，４の切断先端面９とが互いに相違するように形成されており、多心ケーブル１の中心コア３及び外周コア４が圧縮スリーブ５の中心コア挿入孔６及び外周コア挿入孔７へと順を追ってそれぞれ挿入されるようになっており、上述した図１の圧縮接続部２と同様の作用を得ることができる。
【００３２】
図４は本発明に係る多心ケーブルの圧縮接続部の好適な第三の実施の形態を示した側面図である。
【００３３】
本実施の形態に係る多心ケーブル１の圧縮接続部２は、図３のものと同様に、圧縮スリーブ５の中心コア挿入孔６の開口端１６を外周コア挿入孔７の開口端１７よりも多心ケーブル１側へと突出させて形成しているが、中心コア挿入孔６が圧縮スリーブ５に対して着脱自在のアダプタスリーブ１８に形成され、外周コア挿入孔７が圧縮スリーブ５のアダプタスリーブ挿入孔１９の周囲に形成されたことを特徴とする。
【００３４】
アダプタスリーブ１８は、複数の中心コア挿入孔６を有しており、円柱状に形成されている。なお、アダプタスリーブ１８の形状は円柱状に限られるものではない。アダプタスリーブ１８は、アダプタスリーブ挿入孔１９の深さよりも長く形成されており、アダプタスリーブ挿入孔１９に挿入した際に、中心コア挿入孔６の開口端１６が、外周コア挿入孔７の開口端１７よりも突出するようになっている。なお、アダプタスリーブ１８がアダプタスリーブ挿入孔１９に対してスライドできるようにし、圧縮スリーブ５に対して仮固定できるようにすれば、アダプタスリーブ１８の長さとアダプタスリーブ挿入孔１９の深さは同じでもよい。
【００３５】
本実施の形態によれば、図１及び図３の圧縮接続部２と同様の作用を得る他に、アダプタスリーブ１８を設けたことによって、中心コア３の中心コア挿入孔６への挿入の作業性がさらに向上する。
【００３６】
図５は本発明に係る多心ケーブルの圧縮接続部の好適な第四の実施の形態を示した側面図である。
【００３７】
本実施の形態に係る多心ケーブル１の圧縮接続部２は、圧縮スリーブ５の中心コア挿入孔６及び外周コア挿入孔７の開口端面８を傾斜させて形成し、多心ケーブル１の複数のコア３，４が、圧縮スリーブ５の複数のコア挿入孔６，７へと端から順を追って挿入されるようにしたことを特徴とする。
【００３８】
本実施の形態によれば、複数のコア３，４が、コア挿入孔６，７の開口端面８の突出側から順次コア挿入孔６，７へと挿入されるので、その作業が容易であり、上述した図１及び図３の圧縮接続部２と同様の効果を得ることができる。
【００３９】
なお、本発明に係る多心ケーブル１の圧縮接続部２は、上記実施の形態で示した構造に限られるものではなく、圧縮スリーブ５の複数のコア挿入孔６，７の開口端面８と多心ケーブル１の複数のコア３，４の切断先端面９とが相違するように形成されれば、他の構造であってもよい。例えば、コア挿入孔の深さを端から順次変えると共に、その深さに応じてコアの導体の先端を傾斜して切断するようにしたものであってもよい。
【００４０】
また、本発明は、多心形低インピーダンスケーブル等の多心コアを一括で圧縮端子に接続する場合にも、適用が可能である。
【００４１】
【発明の効果】
以上要するに本発明によれば、圧縮スリーブの複数のコア挿入孔の開口端面と多心ケーブルの複数のコアの切断先端面とが相違するように形成したことによって、多心ケーブルの複数のコアを圧縮スリーブの複数のコア挿入孔へと順を追って挿入することができるので、コアの挿入作業に熟練を要さず、簡単な作業で且つ短時間で圧縮接続ができるといった優れた効果を発揮する。
【００４２】
さらに、シースや絶縁体の剥ぎ代を小さくでき、圧縮スリーブ直下のケーブル加工部をコンパクトにすることができる。
【図面の簡単な説明】
【図１】本発明に係る多心ケーブルの圧縮接続部の好適な第一の実施の形態を示した側面図である。
【図２】本発明に係る圧縮スリーブを示した断面図である。
【図３】本発明に係る多心ケーブルの圧縮接続部の好適な第二の実施の形態を示した側面図である。
【図４】本発明に係る多心ケーブルの圧縮接続部の好適な第三の実施の形態を示した側面図である。
【図５】本発明に係る多心ケーブルの圧縮接続部の好適な第四の実施の形態を示した側面図である。
【図６】従来の多心ケーブルの圧縮接続部を示した側面図である。
【図７】多心ケーブルを示した断面図である。
【図８】圧縮スリーブのコア挿入孔を多心ケーブルのコアと同配列とした圧縮接続部を示した側面図である。
【符号の説明】
１　多心ケーブル
２　圧縮接続部
３　中心コア
４　外周コア
５　圧縮スリーブ
６　中心コア挿入孔
７　外周コア挿入孔
８　開口端面
９　切断先端面
１６　（中心コア挿入孔の）開口端
１７　（外周コア挿入孔の）開口端
１８　アダプタスリーブ
１９　アダプタスリーブ挿入孔
【図１】
2004048931.tif 000003
【図２】
2004048931.tif 000004
【図３】
2004048931.tif 000005
【図４】
2004048931.tif 000006
【図５】
2004048931.tif 000007
【図６】
2004048931.tif 000008
【図７】
2004048931.tif 000009
【図８】
2004048931.tif 000010